(57)【要約】【課題】同じキー部材を回転操作したとしても２つの異なる態様の動作を行わせることが可能なキー操作式動作玩具を提供すること。【解決手段】動作玩具本体１と、前記動作玩具本体１に取り付けられたキーシリンダ１０ａと、前記キーシリンダ１０ａに挿入可能なキー部材２と、を有するキー操作式動作玩具１００であって、互いに異なる第１動作態様及び第２動作態様を有し、前記キー部材２の回転操作方向に応じて前記第１動作態様又は前記第２動作態様の所定の動作を行うように構成されていることを特徴とする。【選択図】図２
2017136109.tif 000002
【特許請求の範囲】
【請求項１】
動作玩具本体と、前記動作玩具本体に取り付けられたキーシリンダと、前記キーシリンダの穴に挿入可能なキー部材と、を有するキー操作式動作玩具であって、互いに異なる第１動作態様及び第２動作態様を有し、前記キー部材の回転操作方向に応じて前記第１動作態様又は前記第２動作態様の所定の動作を行うように構成されていることを特徴とするキー操作式動作玩具。
【請求項２】
前記動作玩具本体はフィギアハウスとして構成されていることを特徴とする請求項１に記載のキー操作式動作玩具。
【請求項３】
前記フィギアハウスの壁は開閉可能に構成されるとともに壁開閉手段を有し、前記キー部材の一方向への回転操作によって前記壁開閉手段を作動させて前記壁を開放し、当該フィギアハウスの内部を露出させることを特徴とする請求項２に記載のキー操作式動作玩具。
【請求項４】
前記フィギアハウスの床は拡縮可能に構成されるとともに床拡縮手段を有し、前記キー部材の前記一方向への回転操作によって、前記床拡縮手段を作動させて前記フィギアハウスの床を拡げるように構成されていることを特徴とする請求項３に記載のキー操作式動作玩具。
【請求項５】
前記フィギアハウスは上下で隣接する部屋と、フィギアが出入り可能なエレベータボックスを有するエレベータと、前記エレベータボックスを昇降させる昇降手段とが設けられ、前記キー部材の他方向への回転操作によって、前記昇降手段を作動可能とすることを特徴とする請求項３又は請求項４に記載のキー操作式動作玩具。
【発明の詳細な説明】
【技術分野】
【０００１】
本発明は、キー操作式動作玩具に関するものである。
【背景技術】
【０００２】
従来、キー操作式動作玩具として、動作玩具本体と、前記動作玩具本体に取り付けられたキーシリンダと、前記キーシリンダの穴に挿入可能なキー部材と、を有する動作玩具であって、前記キーシリンダは、前記キー部材が挿入されたときにオンとなり、前記キー部材を所定角度回転させることでオフになる第１スイッチと、前記キー部材を回転させることでオンとなる複数の第２スイッチと、を有するものが知られている（例えば、特許文献１参照）。
【０００３】
要するに、このキー操作式動作玩具は、キー部材をキーシリンダの穴に挿入することで１つの動作を行い、キーシリンダの穴に挿入したキー部材を所定角度回転させることで他の１つの動作を行うように構成されている。
【先行技術文献】
【特許文献】
【０００４】
【特許文献１】特許第５７８５８５２号公報
【発明の概要】
【発明が解決しようとする課題】
【０００５】
しかしながら、上記特許文献１に開示された発明では、キーシリンダの穴に挿入したキー部材を回転させても同じキー部材の用いる限り、回転に起因して１つの動作を行うだけで、その他の動作を行わせることはできない。
【０００６】
本発明は、同じキー部材を回転操作したとしても２つの異なる態様の動作を行わせることが可能なキー操作式動作玩具を提供することを目的としている。
【課題を解決するための手段】
【０００７】
請求項１に記載のキー操作式動作玩具は、動作玩具本体と、前記動作玩具本体に取り付けられたキーシリンダと、前記キーシリンダの穴に挿入可能なキー部材と、を有するキー操作式動作玩具であって、互いに異なる第１動作態様及び第２動作態様を有し、前記キー部材の回転操作方向に応じて前記第１動作態様又は前記第２動作態様の所定の動作を行うように構成されていることを特徴とする。
【０００８】
請求項２に記載のキー操作式動作玩具は、請求項１に記載のキー操作式動作玩具であって、前記動作玩具本体はフィギアハウスとして構成されていることを特徴とする。
【０００９】
請求項３に記載のキー操作式動作玩具は、請求項２に記載のキー操作式動作玩具であって、前記フィギアハウスの壁は開閉可能に構成されるとともに壁開閉手段を有し、前記キー部材の一方向への回転操作によって前記壁開閉手段を作動させて前記壁を開放し、当該フィギアハウスの内部を露出させることを特徴とする。
【００１０】
請求項４に記載のキー操作式動作玩具は、請求項３に記載のキー操作式動作玩具であって、前記フィギアハウスの床は拡縮可能に構成されるとともに床拡縮手段を有し、前記キー部材の前記一方向への回転操作によって、前記床拡縮手段を作動させて前記フィギアハウスの床を拡げるように構成されていることを特徴とする。
【００１１】
請求項５に記載のキー操作式動作玩具は、請求項３又は請求項４に記載のキー操作式動作玩具であって、前記フィギアハウスは上下で隣接する部屋と、フィギアが出入り可能なエレベータボックスを有するエレベータと、前記エレベータボックスを昇降させる昇降手段とが設けられ、前記キー部材の他方向への回転操作によって、前記昇降手段を作動可能とすることを特徴とする。
【発明の効果】
【００１２】
請求項１に記載のキー操作式動作玩具によれば、互いに異なる第１動作態様及び第２動作態様を有し、キー部材の回転操作方向に応じて第１動作態様又は第２動作態様の所定の動作を選択的に行うように構成されているので、目新しいキー操作式動作玩具が実現できる。
【００１３】
請求項２に記載のキー操作式動作玩具によれば、キー部材が実際に使用されるハウスに適用しているので、興趣性の高いキー操作式動作玩具が実現できる。
【００１４】
請求項３に記載のキー操作式動作玩具によれば、キー部材の回転によってフィギアハウスの内部が露出するので、キー部材を使用して中に入ったかのイメージが醸し出され、より興趣性の高いキー操作式動作玩具が実現できる。
【００１５】
請求項４に記載のキー操作式動作玩具によれば、キー部材の回転によって内部が露出する上、床が拡大するので、遊戯空間が増えることにより、より興趣性の高いキー操作式動作玩具が実現できる。
【００１６】
請求項５に記載のキー操作式動作玩具によれば、エレベータによりフィギアを昇降させることができるので、より興趣性の高いキー操作式動作玩具が実現できる。
【図面の簡単な説明】
【００１７】
【図１】実施形態の動作玩具本体の第１形態とキー部材とを示した正面図である。
【図２】実施形態の動作玩具本体の第２形態を示した正面図である。
【図３】実施形態の動作玩具本体の第１形態を示した側面図である。
【図４】実施形態のエレベータボックスの昇降機構を示した模式図である。
【図５】実施形態の左前床と右前床の離接機構を示した図である。
【図６】実施形態の左前床と右前床の係止機構を示した図である。
【図７】実施形態の左壁と右壁の開閉機構を示した図である。
【図８】実施形態の左壁と右壁の開閉機構等を示した図である。
【図９】実施形態の回路構成を示したブロック図である。
【発明を実施するための形態】
【００１８】
以下、本発明に係る動作玩具の実施形態を図面に基づいて説明する。
【００１９】
《全体構成の概要》
図１は、実施形態のキー操作式動作玩具を示した斜視図である。なお、以下の説明において上下、左右及び前後は図１に示す方向を指示するものとする。
このキー操作式動作玩具１００は動作玩具本体１とキー部材２とを備えている。
動作玩具本体１は、大別すると、１階部分１０、２階部分１１及び屋根部分１２を備えている。そして、この動作玩具本体１の外観は全体として１つの木を模した形状となっている。具体的には、１階部分１０は木の幹部、２階部分１１は木の枝葉部、屋根部分１２は枝葉部の頂部に対応した形状となっている。
キー部材２は軸部２ａの先に半径方向外方に突出する突片２ｂを有する形状とされている。
このキー操作式動作玩具１００によれば、１階部分１０の横にあるキーシリンダ１０ａにキー部材２を差し込み、反時計方向に回転することにより、図２に示すように、２階部分１１の左壁１１ａと右壁１１ｂとが観音開き状態で開放される。
また、このキー操作式動作玩具１００によれば、キーシリンダ１０ａに差し込んだキー部材２を時計方向に回転した後、１階部分１０の玄関扉１０ｂの右横の２つのボタン１０ｃ，１０ｄのいずれか１つを押すことにより、押したボタン１０ｃ，１０ｄに応じてエレベータボックス１３（図４参照）が１階部分１０と２階部分１１との間を移動する。
【００２０】
《細部》
（動作玩具本体１）
動作玩具本体１は、子供が両手で持て、内部に部屋が形成され、その中でフィギアが動かせる大きさ及び形状を有している。すなわち、動作玩具本体１はフィギアハウスを構成している。
１．１階部分１０
１階部分１０の左右方向中央には玄関扉１０ｂが形成されている。この玄関扉１０ｂは遊戯者が手で開閉し、フィギアを出し入れすることができる。玄関扉１０ｂの手前側は階段１３ａとなっている。階段１３ａの１つの段板には凹部からなるフィギア載置部１３ｃが形成されている。階段１３ａの右隣には切り株を模した座部１３ｄが形成され、この座部１３ｄには１つのフィギア１３ｅが着座している。一方、階段１３ａの左隣にはブランコ１４が２階部分１１に吊られた状態で設けられている。
【００２１】
２．２階部分１１
２階部分１１の周壁は、左壁１１ａ、右壁１１ｂ及び後壁１１ｃ（図３）によって形成されている。左壁１１ａ及び右壁１１ｂにはそれぞれ窓１１０が1つずつ形成されている。２階部分１１の周壁は、左壁１１ａと右壁１１ｂとが閉じた状態で見ると、上方に向けて徐々に縮径した形をしている。図２に示すように、２階部分１１の床は、固定床２２と可動床２３とから構成されている。床の中央には、エレベータボックス１３の昇降路を構成する筒状枠２４が上下に貫通して設けられている。筒状枠２４には、２階部分１１及び１階部分１０のそれぞれに対応してエレベータ用の出入り口２４ａ（１階部分１０の出入り口２４ａは図示せず）が形成されている。１階部分１０の出入り口２４ａは玄関扉１０ｂの奥に位置している。エレベータボックス１３には出入り口２４ａからフィギアを出し入れすることができる。
【００２２】
固定床２２は前半部が後半部より一段下がった形状を有している。
可動床２３は左前床２３０ａ、右前床２３０ｂ、左上床２３１ａ及び右上床２３１ｂから構成されている。
このうち左前床２３０ａ及び右前床２３０ｂは固定床２２の前半部の上に設けられ、左前床２３０ａ及び右前床２３０ｂの上面は固定床２２の後半部上面と面一となっている。この左前床２３０ａ及び右前床２３０ｂは左右方向に移動可能に構成され、両者が離間する位置と、両者が当接する位置とを取り得る。具体的には、左壁１１ａと右壁１１ｂが閉じられた際には左前床２３０ａ及び右前床２３０ｂは互いに当接する位置を取り、左壁１１ａと右壁１１ｂが開放された際には左前床２３０ａ及び右前床２３０ｂは互いに離間する位置を取る。
一方、左上床２３１ａは左壁１１ａの内側に、右上床２３１ｂは右壁１１ｂの内側にそれぞれ固定されている。そして、左壁１１ａと右壁１１ｂが閉じられた際には左上床２３１ａ及び右上床２３１ｂは固定床２２、左前床２３０ａ及び右前床２３０ｂの上に覆い被さり、左壁１１ａと右壁１１ｂが開放された際には固定床２２の一部と、左前床２３０ａ及び右前床２３０ｂとを露出させる。
【００２３】
３．屋根部分１２
屋根部分１２の外郭はドーム状に形成されている。この屋根部分１２の頂部には装飾体３１が上方に突出して取り付けられている。
【００２４】
４．エレベータボックス１３の昇降機構４０
１階部分の床（図示せず）には正逆転可能なモータ４１が設置されている。モータ４１の軸に取り付けられたピニオン４１ａには歯車４１ｂが噛合している。歯車４１ｂと同軸には当該歯車４１ｂと一体回転する歯車４１ｃが設けられ、歯車４１ｃは隣の歯車４１ｄに噛合している。この歯車４１ｄの軸４２はクラッチ機構（図示せず）を介して当該歯車４１ｄと一体回転するように構成されている。クラッチ機構が介在しているため、過負荷が作用した際には歯車４１ｄと軸４２と間の動力伝達は遮断される。
軸４２には螺旋体４３が付設されている。そして、この螺旋体４３に、エレベータボックス１３の後壁に付設した突起１３０が係合している。なお、エレベータボックス１３は向きを同じにして昇降可能に筒状枠２４に支持されている。
その結果、モータ４１のロータ（図示せず）の回転方向に応じてエレベータボックス１３が上昇又は下降をする。
なお、昇降機構４０は後述の制御部９０等とともに昇降手段を構成する。
【００２５】
５．装飾体３１の動作機構
軸４２は屋根部分１２の床３２を貫通し屋根裏まで延びている。この軸４２には歯車３３ａが設けられ、この歯車３３ａは隣の歯車３３ｂに噛合している。歯車３３ｂの軸には装飾体３１が着脱可能に設けられている。
【００２６】
６．左前床２３０ａ及び右前床２３０ｂの離接機構５０
左前床２３０ａの下には裏板５０ａが、右前床２３０ｂの下には裏板５０ｂがそれぞれ取り付けられている。裏板５０ａには左右方向に延びるスリット５１ａが、裏板５０ｂには左右方向に延びるスリット５１ｂがそれぞれ形成されている。また、スリット５１ａには固定床２２の上面に付設した突起２３ａが、スリット５１ｂには固定床２２の上面に付設した突起２３ｂがそれぞれ挿入されている。
また、左前床２３０ａと固定床２２との間にはコイルスプリング２５ａが、右前床２３０ｂと固定床２２との間にはコイルスプリング２５ｂがそれぞれ掛けられている。
そして、左前床２３０ａはコイルスプリング２５ａの付勢力によって左方に付勢され、右前床２３０ｂはコイルスプリング２５ｂの付勢力によって右方に付勢されている。これにより、左前床２３０ａと右前床２３０ｂとはコイルスプリング２５ａ，２５ｂの付勢力が解放された状態で互いに離間した位置を取り、コイルスプリング２５ａ，２５ｂの付勢力に抗する力が作用した状態で互いに当接した位置を取る。
なお、この離接機構５０は、後述の係止機構６０と共に、床拡縮手段を構成する。
【００２７】
７．左前床２３０ａ及び右前床２３０ｂの係止機構６０
図６に示すように、左前床２３０ａの後ろには突起６０ａが、右前床２３０ｂの後ろには突起６０ｂがそれぞれ形成されている。また、左前床２３０ａの後方には、前後方向に動作するスライダ６１ａが、右前床２３０ｂの後方には、前後方向に動作するスライダ６１ｂがそれぞれ設置されている。
スライダ６１ａは、固定部との間に掛けられたコイルスプリング６２ａによって前方に向けて付勢され、スライダ６１ｂは、固定部との間に掛けられたコイルスプリング６２ｂによって前方に向けて付勢されている。また、スライダ６１ａの前端には、上記突起６０ａに係合する突起６３ａが、スライダ６１ｂの前端には、上記突起６０ｂに係合する突起６３ｂがそれぞれ形成されている。
また、スライダ６１ａの後端部は左壁１１ａの偏心部６４ａに、スライダ６１ｂの後端部は右壁１１ｂの偏心部６４ｂにそれぞれ係合している。
そして、左壁１１ａと右壁１１ｂとが閉塞している状態では、突起６０ａと突起６３ａ、突起６０ｂと突起６３ｂがそれぞれ係合している。また、左壁１１ａと右壁１１ｂとが開放された際には、スライダ６１ａ，６１ｂが後方に動作して、突起６０ａと突起６３ａとの係合と突起６０ｂと突起６３ｂとの係合が共に解除され、コイルスプリング２５ａ，２５ｂの付勢力が解放されて左前床２３０ａと右前床２３０ｂとは互いに離間した位置を取る。また、左壁１１ａと右壁１１ｂとが閉塞する際には、スライダ６１ａ，６１ｂが前方に動作するとともに、左壁１１ａによって左前床２３０ａが、右壁１１ｂによって右前床２３０ｂがそれぞれ内方に押され、突起６０ａが突起６３ａを、突起６０ｂが突起６３ｂをそれぞれ乗り越えて、コイルスプリング２５ａの付勢力により突起６０ａと突起６３ａが、コイルスプリング２５ｂの付勢力により突起６０ｂと突起６３ｂとがそれぞれ係合する。
【００２８】
８．左壁１１ａ及び右壁１１ｂの開閉機構７０
図７に示すように、左壁１１ａは軸７０ａを中心に回動可能に構成されるとともに、右壁１１ｂは軸７０ｂを中心に回動可能に構成され、回動によって、左壁１１ａと右壁１１ｂとが観音開きとなる開放状態と閉鎖状態とを取り得るように構成されている。
左壁１１ａの軸７０ａにはトーションスプリング７１ａが、右壁１１ｂの軸７０ｂにはトーションスプリング７１ｂがそれぞれ巻装されている。トーションスプリング７１ａの一端部は固定部７２ａに係合し、他端部は上記偏心部６４ａに係合する。また、トーションスプリング７１ｂの一端部は固定部７２ｂに係合し、他端部は上記偏心部６４ｂに係合している。
その結果、左壁１１ａはトーションスプリング７１ａの付勢力によって平面視で時計方向に付勢され、右壁１１ｂはトーションスプリング７１ｂの付勢力によって平面視で反時計方向に付勢されている。そして、左壁１１ａと右壁１１ｂとはトーションスプリング７１ａ，７１ｂの付勢力が解放されたときに開放状態を取り、トーションスプリング７１ａ，７１ｂの付勢力に抗する力が作用したときに閉鎖状態を取る。トーションスプリング７１ａ，７１ｂの付勢力に抗する力が作用したときとは、手で左壁１１ａと右壁１１ｂとを閉めたときである。
なお、この開閉機構７０は後述の係止機構８０と共に、壁開閉手段を構成する。
【００２９】
９．左壁１１ａ及び右壁１１ｂの係止機構８０
図７（下面図）に示すように、固定床２２の下側には前後方向に動作するスライダ８１が設置されている。このスライダ８１の前端には凹部８２が形成されている。凹部８２の両縁は爪を形成している。スライダ８１はコイルスプリング８３の付勢力によって前方に向けて付勢されている。
一方、左壁１１ａの内面前端下部には爪８４ａが、右壁１１ｂの内面前端下部には爪８４ｂがそれぞれ形成されている。
そして、左壁１１ａと右壁１１ｂとが閉鎖状態を取る際に、コイルスプリング８３の付勢力によって、凹部８２の両縁の爪と爪８４ａ，８４ｂとが係合する。これによって、左壁１１ａと右壁１１ｂとが係止され閉鎖状態が維持される。
スライダ８１は筒状枠２４を迂回するように屈曲され、その後端部には、回動部材８５が係合している（図８（Ａ），（Ｂ））。回動部材８５は、軸８５ａの一端に付設され当該軸８５ａを中心に回動する出力片８５ｂを有し、軸８５ａの他端には入力片８５ｃを有している。このうちスライダ８１の後端部には出力片８５ｂが係合している。入力片８５ｃの横には、キーシリンダ１０ａの軸８８を中心に公転する弧状部材８９が設けられている。
そして、この弧状部材８９がキー部材２の操作によって軸８８を中心に公転した際に入力片８５ｃ、軸８５ａ及び出力片８５ｂを介してスライダ８１が後方に動作し、これにより、凹部８２の両縁の爪と爪８４ａ，８４ｂとの係止が解除されて、トーションスプリング７１ａ，７１ｂの付勢力によって、左壁１１ａ及び右壁１１ｂとが開放状態となる。
【００３０】
１０．キー操作機構１１０
キーシリンダ１０ａの表層部材１１１にはキー部材２を挿入可能な穴１１２が形成されている。この穴１１２の奥には、中板１０３が設けられている。この中板１０３にはキー部材２の先端部が挿入される扇状の穴１１４が形成されている。この中板１０３の奥には軸８８を中心に所定角度範囲で回動可能な円盤１１５が設けられている。この円盤１１５の手前には上記弧状部材８９が設けられ、この弧状部材８９の裏側に設けられた突起８９ａが円盤１１５の開口１１６を通して円盤１１５の裏側まで延びている。弧状部材８９はキー部材２を挿入後に反時計方向に回転させた際に軸８８を中心に公転する。一方、弧状部材８９はキー部材２を挿入後に時計方向に回転させた際に円盤１１５を回転させ、円盤１１５の一部によって後述のスイッチＳＷ５をＯＮさせる。
【００３１】
１１．電源部
電源としては、特に限定はされないが、乾電池が使用されている。この電池は動作玩具本体１の底部の電池蓋（図示せず）を開くことにより、電池の装填、取り出し及び交換ができる。
【００３２】
１２．回路構成
このキー操作式動作玩具１００は、電源部の他に、制御部９０と、記憶部９１と、モータ駆動回路９２と、モータ４１と、音声出力回路９４と、スピーカ９５とを備える。電源部には、不図示の電源スイッチが付随しており、制御部９０等への電圧の供給の断続が可能となっている。また、このキー操作式動作玩具１００は、電源スイッチの他に、スイッチＳＷ１〜Ｓ７を備えている。
【００３３】
制御部９０は、ＣＰＵ等の演算処理装置を有しており、記憶部９１に保管された所定プログラムを展開して実行する。記憶部９１は、ＲＯＭ、ＲＡＭ等を有しており、制御部９０の動作に必要なプログラムや基本的データを固定的に保持するとともに任意のデータを書き換え可能に保持する。なお、制御部９０と記憶部９１とは、例えばマイクロコンピュータによって一体のものとして実現される。
【００３４】
スイッチＳＷ１は、フィギア載置部１３ｃの下側に設置され、フィギアが載置されたことを検出するためのものであり、タクトスイッチが使用されている。
スイッチＳＷ２は、ボタン１０ｃの裏側に設置され、ボタン１０ｃが押されたことを検知するためのものであり、リーフスイッチが使用されている。
スイッチＳＷ３は、ボタン１０ｄの裏側に設置され、ボタン１０ｄが押されたことを検知するためのものであり、リーフスイッチが使用されている。
スイッチＳＷ４は、キーシリンダ１０ａの裏側に設置され、キー部材２が反時計方向に回転されたことを検知するためのものであり、リーフスイッチが使用されている。
スイッチＳＷ５は、キーシリンダ１０ａの裏側に設置され、キー部材２が時計方向に回転されたことを検知するためのものであり、リーフスイッチが使用されている。
スイッチＳＷ６は、筒状枠２４内に設置され、エレベータボックス１３が上限位置まで上昇したことを検知するためのものであり、リーフスイッチが使用されている。
スイッチＳＷ７は、筒状枠２４内に設置され、エレベータボックス１３が下限位置まで下降したことを検知するためのものであり、リーフスイッチが使用されている。
【００３５】
１３．動作
次に、動作の一例を説明する。
電源スイッチの操作により主電源がＯＮとなり、キーシリンダ１０ａにキー部材２を差して反時計方向に回すとスピーカ９５から効果音（例えば、扉等が開く音；「ギー」のような擬音）が発せられるとともに、来客歓迎の言葉（例えば「ようこそ」等の言葉）が発せられ、開閉壁が開放される。最初に、キー部材２を反時計方向に回す代わりに時計方向に回しても何らの動作を行わない。
次に、キー部材２を時計方向に回すとスピーカ９５から効果音（例えば「キラリン」等の音）が発せられるとともに、エレベータの使用が可能となったことが告知される（例えば、「エレベータって楽しい」等の言葉）。
次に、エレベータのボタン１０ｃを押すと、スピーカ９５からエレベータが２階に行くことが告知され、エレベータのボタン１０ｄを押すと、スピーカ９５からエレベータが下に行くことが告知される。この場合、ボタン１０ｃを押すも既にエレベータボックス１３が２階にあるとき、或いは、ボタン１０ｄを押すも既にエレベータボックス１３が１階にあるときには、既に目的階にエレベータボックス１３があることを告知してもよい。
エレベータのボタン１０ｃ又はボタン１０ｄを押している間だけ、エレベータボックス１３が上昇又は下降する。エレベータボックス１３が上昇又は下降している間に、ボタン１０ｃ又はボタン１０ｄから手を離すと、エレベータボックス１３は途中で止まる。途中で止まったときには警告を発するようにしてもよい。
エレベータボックス１３が目的階に到達すると、効果音（例えば「ポーン」等の音）が発せられ、目的階への到達を知らせる。
また、電源スイッチの操作により主電源がＯＮとなり、フィギア載置部１３ｃにフィギアが載せられると、スピーカ９５からは訪問挨拶の言葉（例えば「こんにちは○○だよ」等の言葉）が発せられる。
【００３６】
《発明の変形例》
以上、本発明の実施形態について説明したが、本発明は、かかる実施形態に限定されず、その要旨を逸脱しない範囲で、種々変形可能であることは言うまでもない。
例えば、上記実施形態では、左壁１１ａと右壁１１ｂとを観音開き状態で開放するようにしたが、筒状の壁をその中心軸を中心に回転させることにより、内部を露出させるようにしてもよい。
また、上記実施形態では、動作玩具本体１をフィギアハウスとしたが、駐車場玩具その他の車両玩具として構成してもよいし、ロボット玩具としてもよい。
さらに、上記実施形態では、キー部材２の回転操作方向の順番を設定し、最初にキー部材２を時計方向に回転させても外部的に認識し得る動作を行わなかったが、キー部材２の回転操作方向の順番を設定しないで、例えば、動作玩具本体１をフィギアハウスとして構成する場合には、「只今、留守にしています。」等の音声を発するようにしてもよい。
また、上記実施形態では、左壁１１ａと右壁１１ｂとを観音開き状態で開放するようにしたが、その際に、部屋の照明を点灯させるようにしてもよい。
【符号の説明】
【００３７】
１    動作玩具本体
２    キー部材
１１ａ    左壁
１１ｂ    右壁
１３    エレベータボックス
４０    昇降機構（昇降手段の一部）
５０    離接機構（拡縮手段の一部）
６０    係止機構（拡縮手段の一部）
７０    開閉機構（開閉手段の一部）
８０    係止機構（開閉手段の一部）
１００    キー操作式動作玩具
【図１】
2017136109.tif 000003
【図２】
2017136109.tif 000004
【図３】
2017136109.tif 000005
【図４】
2017136109.tif 000006
【図５】
2017136109.tif 000007
【図６】
2017136109.tif 000008
【図７】
2017136109.tif 000009
【図８】
2017136109.tif 000010
【図９】
2017136109.tif 000011